(57)【特許請求の範囲】
【請求項１】
電子機器の筐体構造であって、
ディスプレイ・モジュールと、
前記ディスプレイ・モジュールを保持し側壁の縁部に構成された枠縁に突起部を有し薄板の箱状に形成されたディスプレイ筐体と、
前記ディスプレイ筐体を開閉自在に支持し、システム要素を収納し、前記ディスプレイ筐体を閉じたときに前記突起部が嵌合する溝部が形成されたシステム筐体とを有し、
前記突起部と前記ディスプレイ筐体とが金属で一体成形され、前記溝部と前記システム筐体とが金属で一体成形され、前記ディスプレイ・モジュールが前記ディスプレイ筐体の側壁の内面に固定されている筐体構造。
【請求項２】
前記ディスプレイ筐体が、周辺部と該周辺部から中央に延びるメイン・ブリッジと前記周辺部と前記メイン・ブリッジに連絡するサブ・ブリッジで構成されたケージ型ディスプレイ筐体である請求項１に記載の筐体構造。
【請求項３】
前記ケージ型ディスプレイ筐体を覆う化粧カバーを有する請求項２に記載の筐体構造。
【請求項４】
前記枠縁が貼付面を有し、前記貼付面と前記ディスプレイ・モジュールの固定枠とに跨って貼られたシール・テープを有する請求項１に記載の筐体構造。
【請求項５】
前記枠縁が前記ディスプレイ筐体を閉じたときに前記システム筐体に接触する支持面を備え、前記ディスプレイ・モジュールの固定枠と前記システム筐体の側壁の内面と前記支持面に跨って貼られたシール・テープを有する請求項１に記載の筐体構造。
【発明の詳細な説明】
【技術分野】
【０００１】
本発明は、情報機器のディスプレイ・モジュールを保持する筐体構造に関する。
【背景技術】
【０００２】
ノートブック型コンピュータ（以下、ノートＰＣという。）に対しては、近年一層の薄型化および軽量化が求められている。ノートＰＣはユーザによって肘で抱えて持ち運ばれたり、鞄の中に書類などと一緒に納められたり、机上で書類が上に重ねられたりすることがあるので、ノートＰＣの筐体には外部からの押圧に対して内部の電子部品を保護する機械的強度が要求される。特に、液晶ディスプレイが内蔵されるディスプレイ筐体は筐体中央部が最も強度的に脆弱であるため、閉じた状態でそこが押圧されると、液晶ディスプレイに表示される画面に歪みなどの影響が残ったり、キーボードやその周辺部に接触して損傷したりしやすいので、特に筐体中央部への押圧に対して十分な強度を確保する必要がある。
【０００３】
図６（Ａ）は、従来のノートＰＣの外形を示す斜視図である。ノートＰＣ１０は、全体としてディスプレイ側ブロックとシステム側ブロックに分かれている。ディスプレイ側ブロックは、システム側ブロックに開閉自在に取り付けられている。図６（Ｂ）は、ディスプレイ側ブロックを閉じた状態における概略の断面を示す図である。ディスプレイ側ブロックは、ディスプレイ筐体１１、ディスプレイ・モジュール１２、およびディスプレイ枠縁１３を含んで構成されている。ディスプレイ筐体１１は、アルミニウム合金またはマグネシウム合金などの金属で薄板の箱状に形成され内部にディスプレイ・モジュール１２を収納して保持する。
【０００４】
ディスプレイ・モジュール１２は、液晶素子、偏光フィルタ、バックライト、および駆動ユニットなどで構成されており、ディスプレイ筐体１１の側面にネジ２７ａ、２７ｂで取り付けられている。ディスプレイ・モジュール１２は、ヒンジ１５ａ、１５ｂを通過するケーブルで、システム筐体１７の内部に収納されたビデオ・カードに接続される。ディスプレイ筐体１１の内面とディスプレイ・モジュール１２の背面との間には、間隙Ｌ１が確保されている。また、ディスプレイ筐体１１を閉じた状態で、ディスプレイ・モジュール１２の表面とキーボード枠縁１９の間には間隔Ｌ２が確保されている。
【０００５】
ノートＰＣ１０の製造工程では、ディスプレイ筐体１１にディスプレイ・モジュール１２を固定したあとに、ディスプレイ・モジュール１２とディスプレイ筐体１１の側壁の内面との隙間を覆うために、ディスプレイ枠縁１３がディスプレイ筐体１１にネジで固定される。ディスプレイ枠縁１３はプラスチックで形成されている。ディスプレイ枠縁１３には、突起部２３ａ、２３ｂ、２３ｃ、２３ｄが形成されている。
【０００６】
システム側ブロックは、システム筐体１７、キーボード・モジュール２１、およびキーボード枠縁１９を含んで構成されている。システム筐体１７はアルミニウム合金またはマグネシウム合金などの金属で形成されており、内部にマザー・ボードやハードディスク・ドライブなどのノートＰＣ１０のシステム要素を収納する。システム筐体１７の表面には、キーボード・アセンブリ２１が取り付けられ、キーボード・アセンブリ２１の周辺にはキーボード枠縁１９が配置されてシステム筐体１７にネジで固定される。キーボード枠縁１９はプラスチックで形成されている。キーボード枠縁１９の手前側の広い面積部分は、ユーザがキーボード操作する際に手を保持するパーム・レストとして機能する。キーボード枠縁１９には、溝部２５ａ、２５ｂ、２５ｃ、２５ｄが形成されている。
【０００７】
そしてディスプレイ筐体１１は、ヒンジ１５ａ、１５ｂでシステム筐体１７に取り付けられる。ディスプレイ側ブロックが閉じられた状態では、突起部２３ａ、２３ｂ、２３ｃ、２３ｄが、溝部２５ａ、２５ｂ、２５ｃ、２５ｄに嵌合する。ディスプレイ筐体１１は構造体としての要求の他に、外装カバーとしての要求にも対応しなければならない。そのため、ディスプレイ筐体１１は、強度だけでなく装飾的な機能や安全性の機能も満たすように製作する必要がある。したがって、一層の薄型化および軽量化を図るためには、図６（Ａ）、図６（Ｂ）に示したようなディスプレイ筐体１１に強度と外装カバーとしての２つの機能を要求する従来の構造では限界があるため、本発明の出願人は新規な概念に基づいた筐体構造を発明しそれを適用した製品を市場に出荷している。
【０００８】
新たな概念に基づいた筐体構造にかかる発明は、本発明の出願人に譲渡されて特願２００７−６９９４７として出願されている。図７は、その明細書に記載されたディスプレイ側ブロック５０の構成を示す概略斜視図である。ディスプレイ側ブロック５０は、図６で説明したノートＰＣ１０のシステム筐体１７にヒンジで取り付けることができる。ディスプレイ側ブロック５０は主として、化粧カバー５１、ケージ型ディスプレイ筐体５３、アンテナ５７ａ、５７ｂ、ディスプレイ・モジュール５５、およびディスプレイ枠縁６１で構成されている。図７では、化粧カバー５１、アンテナ５７ａ、５７ｂ、およびディスプレイ・モジュール５５が図面をわかりやすくするために透明に表現されているが実際は透明である必要はない。化粧カバー５１は、ノートＰＣ１０の蓋を閉じたときにノートＰＣ１０の表面を形成する。
【０００９】
化粧カバー５１はプラスチックで箱形に形成され、周辺部の厚さが１ｍｍ程度であるのに対して、中央部の厚さが２〜３ｍｍ程度と少し厚くなって強化されている。化粧カバー５１は、嵌め込み構造、ラッチ構造、またはネジなどの周知の方法でケージ型ディスプレイ筐体５３にユーザによる取り付けが可能なように構成されている。したがって、ユーザは好みに応じて化粧カバー５１を交換することができる。化粧カバー５１は、図６（Ａ）に示したディスプレイ筐体１１とは異なり、ディスプレイ・モジュール１２を保持したり、ノートＰＣ１０の構造体として機能したりする強度は備えていない。
【００１０】
ケージ型ディスプレイ筐体５３は、図６（Ａ）に示したディスプレイ筐体１１とディスプレイ・モジュールを保持する点では共通するが、要求される機能が異なりかつ構造も異なる。以後、本明細書においては、図６（Ａ）に示したディスプレイ筐体１１を薄板型ディスプレイ筐体といい、ケージ型ディスプレイ筐体と区別することにする。ケージ型ディスプレイ筐体５３は、マグネシウム合金またはアルミニウム合金などのような軽合金のダイキャストで一体成形され、下部がヒンジによりシステム筐体１７に取り付けられる。ケージ型ディスプレイ筐体５３は、ディスプレイ・モジュール５５を収納し、ディスプレイ側ブロック５０の構造体としての機能を果たしている。ディスプレイ縁枠６１は、ディスプレイ・モジュール５５とケージ型ディスプレイ筐体５３の周辺を覆うようにしてケージ型ディスプレイ筐体５３にネジで取り付けられる。
【００１１】
アンテナ５７ａはケージ型ディスプレイ筐体５３の上側の側面に、アンテナ５７ｂはケージ型ディスプレイ筐体５３の横側の側面に取り付けられる。アンテナ５７ａ、５７ｂは、ケージ型ディスプレイ筐体５３の外側に取り付けられるので、感度を確保するために構造体であるケージ型ディスプレイ筐体５３を部分的に切除する必要はない。アンテナ５７ａ、５７ｂは、ケージ型ディスプレイ筐体５３上に設けられたケーブル・ダクトを通るケーブルを介して、システム筐体１７の内部の無線モジュールに接続される。
【００１２】
ケージ型ディスプレイ筐体５３は、長辺が約３０ｃｍ、短辺が約２５ｃｍの長方形の板の内側に開口部が形成されたような形状である周辺部６９の縁が、ディスプレイ・モジュール５５の収納が可能なように６〜７ｍｍ程度折り曲げられた状態で箱状に形成されている。周辺部６９からは８本のメイン・ブリッジ６３が中央部に向かって延びている。中央部には、六角形のメインブ・リッジ６７が形成されており、周辺部６９から延びた８本のメイン・ブリッジがそれに連絡している。
【００１３】
そして、周辺部６９と８本のメイン・ブリッジ６３によって区切られた内側とメイン・ブリッジ６７の内側のそれぞれには、ハニカム構造のサブ・ブリッジ６５が形成されている。サブ・ブリッジ６５は、メイン・ブリッジ６３、６７および周辺部６９に連絡しており、押圧に対して化粧カバー５１を支持するために設けられている。このような構造のディスプレイ側ブロック５０では、ケージ型ディスプレイ筐体５３は化粧カバー５１で外側が覆われるため、その形状および構造は強度と軽量化だけを考慮して決定することができる。そして、化粧カバー５１は強度に対する要求から解放され、外装の美観を確保したり、水滴や粉塵の進入を防止したりするという外装カバーの目的に特化した構造にすることができる。この構造においても、ディスプレイ枠縁６１に、システム筐体１７の溝部２５ａ〜２５ｄに嵌合する突起部が形成されている。
【００１４】
ディスプレイに関連した補強構造に関する従来技術には、たとえば以下のようなものがある。特許文献１は、液晶表示装置の筐体を、蓋筐体取り付け部と共に蝶番を通して開閉可能に蓋筐体に固定し、蓋筐体の強度を絞り加工を施した補強板によって増大するという技術を開示する。特許文献２は、ノートＰＣの背面カバーと液晶表示装置との間に筋交い状の菱形格子状リブを配置することによって背面カバーの強度を増大するという技術を開示する。背面カバーは、液晶表示装置や蛍光管を収納し、蝶番で入力部に結合されている。特許文献３は、プラズマ・ディスプレイ装置の耐震性を強化するために、アルミニウム合金製のハニカムコアをアルミニウム合金板で挟持した積層パネルを裏面に設ける技術を開示する。
【特許文献１】特開平８−７６８８６号公報
【特許文献２】特開平９−６２４００号公報
【特許文献３】特開２００１−１３４１９５号公報
【発明の開示】
【発明が解決しようとする課題】
【００１５】
ノートＰＣ１０は、ディプレイ側ブロックが閉じた状態で鞄に収納されて持ち運ばれたり机上で上に書類が積み重ねられたりしたときに、ディスプレイ筐体１１の中央部に対して図６（Ｂ）の矢印Ａで示す方向に圧力が加えられることがある。ディスプレイ筐体１１は閉じた状態では矢印Ａの押圧に対して、側壁の縁部がディスプレイ枠縁１３とキーボード枠縁１９を介在してシステム筐体１７で支持されるため、矢印Ａ方向の力は、ディスプレイ筐体１１の側壁の縁部を矢印Ｂ、Ｃ方向およびシステム筐体１１の手前方向である矢印Ｄ方向に押し広げる力として作用する。なお、システム筐体１７の背面側では、ディスプレイ筐体１１の側壁がヒンジにより固定されているため、矢印Ａ方向の力で押し広げられることはない。
【００１６】
このとき、ディスプレイ枠縁１３に形成された突起部２３ａ、２３ｂ、２３ｃ、２３ｄは、溝部２５ａ、２５ｂ、２５ｃ、２５ｄにそれぞれ嵌合して、矢印Ｂ、Ｃ、Ｄ方向の力に対抗しディスプレイ筐体１１の側壁の縁部が外側に広がるのを抑制する。しかし、ディスプレイ枠縁１３はプラスチックで形成されており、さらに、後にディスプレイ・モジュール１２を取り外す必要があるために溶接や接着などでディスプレイ筐体１１に対して一体となるように強固に結合することができなかった。同様にキーボード枠縁１９もシステム要素の交換のために取り外す必要があるため、システム筐体１７に対して一体となるように結合することができなかった。
【００１７】
また、ディスプレイ枠縁１３、ディスプレイ筐体１１、キーボード枠縁１９、およびシステム筐体１７においては組み立て公差が必要なため、閉じたときに突起部２３ａ、２３ｂ、２３ｃ、２３ｄを溝部２５ａ、２５ｂ、２５ｃ、２５ｄに確実に嵌合させるためにはこの公差の分だけ溝部を大きく形成する必要があった。したがって、このようなディスプレイ枠縁１３に形成された突起部２３ａ、２３ｂ、２３ｃ、２３ｄと、キーボード枠縁１９に形成された溝部２５ａ、２５ｂ、２５ｃ、２５ｄからなるディスプレイ筐体１１の補強構造ではディスプレイ筐体１１の側壁の広がりを十分に抑えることができなかった。
【００１８】
その結果、ディスプレイ筐体１１がディスプレイ・モジュール１２の背面方向に間隔Ｌ１以上撓んでディスプレイ筐体１１の背面を押し込み、押し込まれたディスプレイ・モジュール１２の表面が間隔Ｌ２以上撓んで、キーボード枠縁１９に接触して損傷することがあった。近年ノートＰＣ１０は、軽量化および薄型化を追求していく中で、間隙Ｌ１、Ｌ２をできるだけ小さくしたりディスプレイ筐体１１を薄くしたりする必要があるが、このディスプレイ筐体１１の外力に対する剛性が軽量化および薄型化に対する１つの限界を呈していた。図７に示したケージ型ディスプレイ筐体５３においても、突起部がディスプレイ枠縁に形成され溝部がキーボード枠縁に形成されて同じ方式の補強構造を採用しているため、同様の課題が生じている。
【００１９】
そこで本発明の目的は、薄型化および軽量化が可能な電子機器の筐体構造を提供することにある。さらに本発明の目的は、薄型化および軽量化を図りながら、外部からの押圧に対してディスプレイ・モジュールを保護することができる筐体構造を提供することにある。さらに本発明の目的は、薄型化および軽量化を図った携帯式コンピュータを提供することにある。
【課題を解決するための手段】
【００２０】
本発明にかかる筐体構造においては、閉じた状態のディスプレイ筐体を補強する突起部が、ディスプレイ筐体に直接形成されている。ディスプレイ筐体が金属で形成される場合は、突起部はダイキャストでディスプレイ筐体と一体成形することができる。システム筐体には閉じた状態のディスプレイ筐体の突起部が嵌合する溝部が直接形成されている。システム筐体が金属で形成される場合は、溝部はダイキャストでシステム筐体と一体成形することができる。なお、溝部は、突起部と嵌合できる構造であればよく、溝部の中に底面があってもよく、また、底面のない貫通孔であってもよい。
【００２１】
ディスプレイ枠縁およびキーボード枠縁などのような別部品に突起部および溝部を形成する場合は、ディスプレイ筐体に押圧を加えるとこれらの部品の接合部間に歪みが生じ易いため、側壁の広がりを十分に防ぐことができなかったが、本発明の場合は、ディスプレイ筐体とシステム筐体にそれぞれ突起部と溝部が形成されているので、側壁の広がりを確実に防いで押圧に対する剛性を強化した構造にすることができる。また、組み立て公差を小さくできるので、溝部に嵌合した突起部の遊びを少なくすることができる。ディスプレイ筐体は、薄板型でもケージ型でもよい。ケージ型の場合は、その外側を覆う化粧カバーを設けることができる。突起部が形成された枠縁をディスプレイ筐体の側壁の縁部に設けると、縁部を一層強化することができる。枠縁に貼付面を設けて、貼付面とディスプレイ・モジュールの固定枠との間に跨ってシール・テープを貼ることができる。その結果、固定枠と側壁の内面との間の隙間から粉塵が入るのを防ぎ、かつ、美観を保つことができる。また、シール・テープは、容易に剥がすことができるので、ディスプレイ・モジュールを後にディスプレイ筐体から取り外すことも可能である。
【００２２】
シール・テープは従来のディスプレイ枠縁を使用しないで粉塵の進入や美観の維持を図りながら、ディスプレイ筐体に直接突起部を形成することを可能にする。ディスプレイ筐体を閉じたときにシステム筐体に接触する支持面を枠縁に形成してもよい。このときシール・テープはディスプレイ・モジュールの固定枠とシステム筐体の側壁の内面と支持面に跨って貼るようにしてもよい。なお、システム筐体に突起部を形成し、ディスプレイ筐体にその突起部に嵌合する溝部を形成してもよい。
【発明の効果】
【００２３】
本発明により、薄型化および軽量化が可能な電子機器の筐体構造を提供することができた。さらに本発明により、薄型化および軽量化を図りながら、外部からの押圧に対してディスプレイ・モジュールを保護することができる筐体構造を提供することができた。さらに本発明により、薄型化および軽量化を図った携帯式コンピュータを提供することができた。
【発明を実施するための最良の形態】
【００２４】
図１（Ａ）は、本発明の実施の形態にかかるディスプレイ側ブロック１００の分解斜視図で、図１（Ｂ）は組み立て状態を示す斜視図である。なお、本明細書では、図面の全体に渡って同一の要素には同一の参照番号を付して説明する。ディスプレイ側ブロック１００は、ディスプレイ・モジュール１０５、ケージ型ディスプレイ筐体１０３、および化粧カバー１０１で構成されている。ディスプレイ・モジュール１０５は、液晶ディスプレイ本体と駆動ユニット１０６で構成されている。ディスプレイ・モジュール１０５は、液晶ディスプレイに代えてプラズマ・ディスプレイやＥＬディスプレイなどのような他の形式の薄型ディスプレイを採用することもできる。ディスプレイ・モジュール１０５は四方が固定枠１０８で囲まれている。
【００２５】
ケージ型ディスプレイ筐体１０３は、図７で説明したケージ型ディスプレイ筐体５３と基本的な構造は同一で、メイン・ブリッジおよびサブ・ブリッジを含んで構成されている。相違するのは、ケージ型ディスプレイ筐体１０３には縁部に置いて外側に折れ曲がった枠縁１１３ａ、１１３ｂ、１１３ｃ、１１３ｄが形成されており、さらにその枠縁１１３ａ、１１３ｂ、１１３ｃには、突起部１０７ａ、１０７ｂ、１０７ｃ、１０７ｄが形成されている点である。
【００２６】
さらに、図７のディスプレイ側ブロック５０では、突起部が形成されたキーボード枠縁が使用されていたが、ディスプレイ側ブロック１００ではキーボード枠縁を使用しない。ケージ型ディスプレイ筐体１０３は、枠縁および突起部を含めた全体がアルミニウム合金またはマグネシウム合金などの軽合金のダイキャストで一体成形される。
【００２７】
キーボード枠縁を使用しない新規なディスプレイ側ブロック１００の構造と利点については、後に詳しく説明する。ディスプレイ・モジュール１０５は、ケージ型ディスプレイ筐体１０３に収納され、固定枠１０８がネジでケージ型ディスプレイ筐体１０３の側壁に固定される。化粧カバー１０１はプラスチックで形成されている。化粧カバー１０１は、図７に示した化粧カバー５１と機能および構造が同一である。化粧カバー１０１は、ケージ型ディスプレイ筐体１０３に固定される。ディスプレイ側ブロック１００は、ケージ型ディスプレイ筐体１０３のヒンジ取付部１０９ａ、１０９ｂに固定されたヒンジ（図示せず。）により図３に示すシステム筐体１５０に取り付けられる。
【００２８】
図２（Ａ）は、ケージ型ディスプレイ筐体１０３にディスプレイ・モジュール１０５が固定された状態の断面を示し、図２（Ｂ）は、枠縁１１３ａ付近の断面を示す拡大図である。ケージ型ディスプレイ筐体１０３は、底部１０３ｘと側壁１０３ａ、１０３ｂ、１０３ｃ、１０３ｄで箱状に形成され、内部に収納したディスプレイ・モジュール１０５をネジ１２１ａ、１２１ｂで固定している。図２（Ａ）では、側壁１０３ａと１０３ｃだけが示されているが、枠縁１１３ｂ、１１３ｄに対応する位置にはそれぞれ側壁１０３ｂ、１０３ｄが形成されている。
【００２９】
底部１０３ｘは、図７で説明したメイン・ブリッジ、サブ・ブリッジおよび周辺部で構成されている。図２（Ｂ）には、ディスプレイ・モジュール１０５の固定枠１０８が側壁１０３ａにネジ１２１ａで固定されている状態が示されている。枠縁１１３ａ、１１３ｂ、１１３ｃ、１１３ｄは、それぞれ側壁１０３ａ、１０３ｂ、１０３ｃ、１０３ｄの縁部に形成されている。図２（Ｂ）は突起部１０７ａが形成された枠縁１１３ａの付近を示しているが、枠縁１１３ｂ、１１３ｃにおいて、突起部１０７ｂ、１０７ｃ、１０７ｄが形成されている部分の構造も同様である。
【００３０】
枠縁１１３ｄに、突起部が形成されていない理由は、ケージ型ディスプレイ筐体１０３への押圧に対してヒンジが側壁の縁部の広がりを防ぐからである。枠縁１１３ａは、貼付面１１４ａと、支持面１１７ａを備えており、支持面１１７ａから突起部１０７ａが突出している。突起部１０７ａ、１０７ｂ、１０７ｃ、１０７ｄが存在していない部分では、支持面は平坦な面になっている。支持面は、ディスプレイ側ブロック１００が閉じられたときに、システム筐体１５０の側壁の縁部に接触して矢印Ａ方向の押圧（図６）による力をシステム筐体に伝達する。支持面１１７ａは貼付面１１４ａよりもディスプレイ・モジュールの表面１０６から離れた位置に存在する。支持面１１７ａとディスプレイ・モジュールの表面１０６との間には、間隔Ｌ２が確保されている。また、ケージ型ディスプレイ筐体の底部１０３ｘの内面とディスプレイ・モジュール１０５の背面との間には、間隔Ｌ１が確保されている。
【００３１】
枠縁１１３ａと突起部１０７ａは、ケージ型ディスプレイ筐体１０３の一部として軽合金のダイキャストで一体に成形される。ディスプレイ・モジュールの固定枠１０８の表面と貼付面１１４ａは同一平面上に存在するように、ディスプレイ・モジュール１０５がケージ型ディスプレイ筐体の側壁１０３ａ、１０３ｃにネジ１２１ａ、１２１ｂで取り付けられている。さらに、ディスプレイ・モジューの固定枠１０８と側壁１０３ａ、１０３ｂ、１０３ｃ、１０３ｄの内面との間に形成された隙間を覆うために、貼付面と固定枠１０８に跨ってシール・テープ１１５が貼り付けられている。シール・テープ１１５は後に剥がすことが可能なように一方の面に塗布された粘着材で貼付面と固定枠１０８の全周に渡って貼り付けられる。
【００３２】
このシール・テープ１１５でディスプレイ・モジューの固定枠１０８と枠縁１１３ａ、１１３ｂ、１１３ｃ、１１３ｄとの間の隙間を覆うようにしたことで、本実施の形態では、側壁１０３ａ、１０３ｂ、１０３ｃの縁部に、外側に張り出した枠縁１１３ａ、１１３ｂ、１１３ｃを設けてケージ型ディスプレイ筐体１０３の剛性を強化することができる。しかも、シール・テープ１１５は、容易に剥がすことができるので、後にディスプレイ・モジュール１０５を取り外す場合の障害にはならない。
【００３３】
図３は、ディスプレイ側ブロック１００を開閉自在に支持するシステム筐体１５０の外形を示す斜視図である。システム筐体１５０は、底部１５１、側壁１５３ａ、１５３ｂ、１５３ｃとパーム・レスト部１５３ｄがアルミニウム合金またはマグネシウム合金などの軽合金のダイキャストで一体に成形されている。底部１５１、側壁１５３ａ、１５３ｂ、１５３ｃおよびパーム・レスト部１５３ｄで囲われた内部空間には、ノートＰＣのマザー・ボード、ハードディスク・ドライブ、および無線モジュールなどのシステム要素（いずれも図示せず。）が収納される。
【００３４】
側壁１５３ｂには、ヒンジでディスプレイ側ブロック１００が固定され、さらにパーム・レスト部１５３ｄの表面の延長上またはシステム筐体１５０の開放部分には、図６に示した態様で配置されたキーボード・アセンブリ（図示せず。）が、底部１５１またはマザー・ボードに固定される。側壁１５３ａ、１５３ｃには、溝部１５５ａ、１５５ｄが形成され、パーム・レスト部１５３ｄには、溝部１５５ｂ、１５５ｃが形成される。溝部１５５ａの断面（Ａ−Ａ矢視）を拡大した図を図３（Ｂ）に示し、溝部１５５ｂの断面（Ｂ−Ｂ矢視）を拡大した図を図３（Ｃ）に示す。溝部１５５ａ、１５５ｂ、１５５ｃ、１５５ｄは、ダイキャストでシステム筐体１５０の一部として形成される。
【００３５】
つぎに、ディスプレイ側ブロック１００をシステム筐体１５０にヒンジで取り付けたときの状態を説明する。図４は、図３のシステム筐体１５０にディスプレイ側ブロック１００をヒンジ取付部１０９ａ、１０９ｂにおいてヒンジで開閉自在に取り付けた状態の斜視図である。前述のとおり、ディスプレイ側ブロック１００には、図７に示したような突起部が形成されたディスプレイ枠縁６１が存在しない。ディスプレイ側ブロック１００を閉じると、枠縁１１３ａ、１１３ｂ、１１３ｃに形成された支持面がシステム筐体の側壁１５３ａ、１５３ｂ、１５３ｃの縁に接触し、突起部１０７ａ、１０７ｂ、１０７ｃ、１０７ｄは、それぞれ溝部１５５ａ、１５５ｂ、１５５ｃ、１５５ｄに嵌合する。このとき、支持面によりディスプレイ・モジュールの表面１０６は、パーム・レスト部１５３ｄに対して図２（Ｂ）に示した間隔Ｌ２に近い距離が維持される。
【００３６】
そして、ディスプレイ側ブロック１００を閉じた状態で、図６に示すように矢印Ａ方向の力を化粧カバー１０１に与えると、突起部１０７ａ、１０７ｂ、１０７ｃ、１０７ｄは、ケージ型ディスプレイ筐体１０３と一体に形成されているため、側壁１０３ａ、１０３ｂ、１０３ｃの縁部は図６の矢印Ｂ、Ｃ、Ｄ方向にほとんど広がることがない。よって、ケージ型ディスプレイ筐体１０３の底部１０３ｘは矢印Ａ方向の押圧に対する剛性が強化され、間隔Ｌ１を超えて底部１０３ｘが撓むのを抑制することができる。間隔Ｌ１を超えてケージ型ディスプレイ筐体１０３が撓んでも、間隔Ｌ２に近い距離が確保されているので、ディスプレイ・モジュールの表面１０６が、システム筐体１５０に接触して傷がつくことはない。
【００３７】
さらに、枠縁１１３ａ、１１３ｂ、１１３ｃが側壁１０３ａ、１０３ｂ、１０３ｃの縁部を補強し、より一層ケージ型ディスプレイ筐体１０３の剛性を強化する。このような構造が実現できたのは、従来の筐体構造で採用したディスプレイ枠縁６１に突起部を形成しないで、ケージ型ディスプレイ筐体１０３に直接突起部を形成したからである。そして、ディスプレイ・モジュールの固定枠１０８と側壁の内面との隙間をシール・テープで塞ぐことで、後でディスプレイ・モジュールを取り外すことも可能にしているからである。システム筐体１５０の溝部１５５ａ、１５５ｂ、１５５ｃ、１５５ｄも、システム筐体１５０と一体成形されているので、ケージ型ディスプレイ筐体１０３に矢印Ａ方向の力が加えられたときに矢印Ｂ、Ｃ、Ｄ方向の力に対して強固に対抗し、側壁１０３ａ、１０３ｂ、１０３ｃの縁部が外側に広がるのを抑制する。
【００３８】
図５は、ケージ型ディスプレイ筐体１０３の他の実施例を示す図である。図５（Ａ）は、ケージ型ディスプレイ筐体１０３にディスプレイ・モジュール１０５が固定された状態の断面を示し、図５（Ｂ）は、突起部１０７ａが形成された枠縁１３１ａ付近の断面を示す拡大図である。枠縁１３１ａには、支持面１３３ａが形成され、支持面１３３ａから突起部１０７ａが突出している。ディスプレイ・モジュールの表面１０６は支持面１３３ａとの間に間隔Ｌ２が確保されるように側壁１０３ａ、１０３ｃにネジ１２１ａ、１２１ｂで固定されている。
【００３９】
支持面は、ディスプレイ側ブロックが閉じられたときに、システム筐体の側壁の縁部に接触する。そして断面がクランク状に成形されたシール・テープ１３５がディスプレイ・モジュールの固定枠１０８、側壁１０３ａの内面、および支持面１３３ａに貼り付けられている。枠縁１３１ｄなどの他の枠縁も同様の構造になっている。枠縁１３１ａの形状は図２に示した枠縁１１３ａの形状よりも簡単でありケージ型ディスプレイ筐体の製作が容易である。
【００４０】
図８は、ディスプレイ側ブロックの他の実施例にかかる構造を説明する図である。図１、図２で説明したディスプレイ側ブロック１００においては、ディスプレイ・モジュール１０５は、固定枠１０８が直接ケージ型ディスプレイ筐体１０３の側壁１０３ａ、１０３ｃにネジで固定されていた。この場合、組み立てのためにディスプレイ・モジュール１０５の固定枠１０８とケージ型ディスプレイ筐体１０３の側壁の内面との間に許容される公差は比較的厳しくなる。
【００４１】
図８（Ａ）に示すディスプレイ側ブロック２００の構造では、ディスプレイ側ブロック１００において、ディスプレイ・モジュール１０５をケージ型ディスプレイ筐体１０３ではなく、一対のヒンジ・ブラケット２０１ａ、２０１ｂに取り付ける。ヒンジ・ブラケット２０１ａ、２０１ｂには、システム筐体１５０の側壁１５３ｂ（図３）のヒンジに開閉可能に取り付けるためのアーム部２０３ａ、２０３ｂがそれぞれ形成されている。そして、ケージ型ディスプレイ筐体１０３は、側壁１０３ａ、１０３ｃがそれぞれヒンジ・ブラケット２０１ａ、２０１ｂにネジで固定される。さらに、化粧カバー１０１が図１と同様にケージ型ディスプレイ筐体１０３に取り付けられる。
【００４２】
ヒンジ・ブラケット２０１ａ、２０１ｂは、約０．８ｍｍ程度の厚さのステンレス鋼や同等の金属で形成されている。ヒンジ・ブラケット２０１ａ、２０１ｂは、長手方法の中央部においてわずかにディスプレイ・モジュール１０５側（内側）に膨らんでおりその膨らみ部分は弾力を備えている。したがって、ディスプレイ・モジュール１０５は、外形寸法に多少の製作誤差が生じたとしてもヒンジ・ブラケットの膨らみと弾力により、ヒンジ・ブラケット２０１ａ、２０１ｂの間の間隔に適合して固定することができるようになる。図８（Ｂ）は、図２（Ｂ）に対応する断面図で、固定枠１０８と側壁１０３ａとの間に配置されたヒンジ・ブラケット２０１ａが示されている。ケージ型ディスプレイ筐体１０３は、ネジ２０５ａでヒンジ・ブラケット２０１ａに取り付けられている。その他の構造は図２（Ｂ）と同じである。なおこの構造では、図１（Ａ）に示した突起部１０７ａ、１０７ｄをヒンジ・ブラケット２０１ａ、２０１ｂに形成することも可能である。
【００４３】
以上ケージ型ディスプレイ筐体を例にして本実施の形態を説明したが、本発明は、図６に示した薄板型ディスプレイ筐体に適用することもできる。その場合は、ディスプレイ側ブロックに化粧カバー１０１に対応する要素は使用しない。また、ディスプレイ枠縁を使用しない筐体構造を例にして説明してきたが、突起部を直接ディスプレイ筐体に形成することができれば、本発明はディスプレイ枠縁の使用を排除するものではない。以上の実施形態では、ディスプレイ筐体に突起部を形成し、システム筐体に溝部を形成する例を説明したが、本発明は、ディスプレイ筐体に溝部を形成し、システム筐体にその溝部に嵌合する突起部を形成するようにしてもよい。また、ディスプレイ筐体とシステム筐体の一方に突起部および溝部を形成して、他方にそれらに嵌合する溝部および突起部を形成するようにしてもよい。
【００４４】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００４５】
【図１】本発明の実施の形態にかかるディスプレイ側ブロックの構造を説明する図である。
【図２】枠縁の詳細構造を説明する図である。
【図３】システム筐体の構造を説明する図である。
【図４】ディスプレイ側ブロックとシステム筐体を組み合わせた斜視図である。
【図５】枠縁の他の構造を説明する図である。
【図６】従来のノートＰＣの筐体構造を説明する図である。
【図７】従来のケージ型ディスプレイ筐体の構造を説明する図である。
【図８】ディスプレイ側ブロックの他の構造を説明する図である。
【符号の説明】
【００４６】
１００…ディスプレイ側ブロック
１０１…化粧カバー
１０３…ケージ型ディスプレイ筐体
１０３ｘ…底部
１０３ａ、１０３ｂ、１０３ｃ、１０３ｄ…側壁
１０５…ディスプレイ・モジュール
１０６…ディスプレイ・モジュールの表面
１０７ａ、１０７ｂ、１０７ｃ、１０７ｄ…突起部
１０８…固定枠
１０９ａ、１０９ｂ…ヒンジ取付部
１１１…駆動回路
１１３ａ、１１３ｂ、１１３ｃ、１１３ｄ、１３１ａ、１３１ｄ…枠縁
１１４ａ…貼付面
１１５、１３５…シール・テープ
１１７ａ、１３３ａ…支持面
１５０…システム筐体
１５１…底部
１５３ａ、１５３ｂ、１５３ｃ、１５３ｄ…側壁
１５５ａ、１５５ｂ、１５５ｃ、１５５ｄ…溝部
【図１】
0004949190.tif 000002
【図２】
0004949190.tif 000003
【図３】
0004949190.tif 000004
【図４】
0004949190.tif 000005
【図５】
0004949190.tif 000006
【図６】
0004949190.tif 000007
【図７】
0004949190.tif 000008
【図８】
0004949190.tif 000009